(57)【特許請求の範囲】
【請求項１】
前側の合成樹脂製透明板と後側（遊技盤側）の透明板とを所定間隔を置いて平行に配置し、それら透明板により遊技盤の盤面を覆うように設けられたパチンコ機において、
前記合成樹脂製透明板の裏面の適宜箇所に、第１導電性部材と第２導電性部材とを常に電気的に接触するように配設し、その合成樹脂製透明板が故意に加えられた外力によって凹面状に弾性変形を生じたときに、それら第１導電性部材と第２導電性部材との接触状態が解かれて電気的に非接触状態となるように設けられ、第１導電性部材と第２導電性部材との接触状態を検知する検知手段と、前記非接触状態のときに不正行為発生の事態を報知する報知手段とを設けたことを特徴とするパチンコ機における不正行為報知機構。
【発明の詳細な説明】
【技術分野】
【０００１】
本発明は、パチンコ機における不正行為報知機構に関するものである。
【背景技術】
【０００２】
パチンコホールにおいては、心得違いの遊技者が、パチンコ機正面のガラス板に磁石を近づけて自ら打ち込んだ遊技球を磁力により吸引させて所望の入賞口に強制的に入賞させることにより不正に賞球を得る、といった「磁石によるゴト行為」と称される不正行為が後を絶たない状況である。
【０００３】
特開昭６４−５８２８５号公報には、パチンコゲーム機の前面ガラス体の内側表面に透明な導電性被膜を配して第１電極とし、ガラス体に近接した磁石に吸引されて第１電極と接して導通する第２電極を第１電極の内側に近接するように設け、第１電極と第２電極とが接続される警報回路を設けた不正防止機構が開示されている。
【０００４】
パチンコ機には、前側の合成樹脂製透明板と、遊技盤面に近い側の後側のガラス板とを所定間隔を置いて平行に配置し、それら透明板とガラス板により遊技盤の盤面を覆うように設けられた構造のガラス枠型式がある。この形式の合成樹脂製透明板は柔軟性があり、透明板を外から強く押圧したときに従来のガラス板に比べて大きく変形することを避けられない。
しかして、その特性を悪用すれば、磁石を用いる不正行為が容易になってしまうという危惧がある。よって、かかる不正行為を未然に防止する対策が切に求められている。
【特許文献１】特開昭６４−５８２８５号公報
【発明の開示】
【発明が解決しようとする課題】
【０００５】
本発明の目的は、遊技盤の盤面を覆うように設けられる合成樹脂製透明板に対する磁石による不正行為を可及的に防止するパチンコ機における不正行為報知機構を提供することにある。
【課題を解決するための手段】
【０００６】
前記目的を達成するために請求項１に記載した発明は、前側の合成樹脂製透明板と後側（遊技盤側）の透明板とを所定間隔を置いて平行に配置し、それら透明板により遊技盤の盤面を覆うように設けられたパチンコ機において、
前記合成樹脂製透明板の裏面の適宜箇所に、第１導電性部材と第２導電性部材とを常に電気的に接触するように配設し、その合成樹脂製透明板が故意に加えられた外力によって凹面状に弾性変形を生じたときに、それら第１導電性部材と第２導電性部材との接触状態が解かれて電気的に非接触状態となるように設けられ、第１導電性部材と第２導電性部材との接触状態を検知する検知手段と、前記非接触状態のときに不正行為発生の事態を報知する報知手段とを設けたことを特徴とする。
【発明の効果】
【０００７】
このパチンコ機における不正行為報知機構は、前側の合成樹脂製透明板の裏面に配設した第１導電性部材と第２導電性部材との非接触状態のときに報知手段によって不正行為発生の事態を報知するように構成しており、合成樹脂製透明板に対して故意に磁石を押し付けることによる不正行為を可及的に防止することができる。
【発明を実施するための最良の形態】
【０００８】
以下に、本発明の最良の形態例を図面に基づいて説明する。図１は本発明が適用されたパチンコ機の正面図、図２は合成樹脂製透明板に外力が作用していない通常の状態（イ）と、合成樹脂製透明板に外力が作用した不正行為時の状態（ロ）とを模式的に示した説明図、図３はパチンコ機の電子制御部を示すブロック図である。
【０００９】
本発明の不正行為報知機構が適用されたパチンコ機を図１に示す。このパチンコ機Ｐは、長方形状外枠１の前面に前面枠３を一対の金具２ａ，２ｂにより軸支して開閉自在に設けている。その前面枠３のほぼ中央に形成された窓部４には、前側の合成樹脂製透明板５と後側（遊技盤側）の透明なガラス板８とを所定間隔を置いて平行に配置し、それら透明板５とガラス板８により遊技盤１１の盤面を覆うように設け、その窓部４の下方に貯留皿９、遊技球発射装置の発射ハンドル１０を配設している。
【００１０】
なお、その透明板５については、前面枠３の前面部材３ａと一体に形成されるが、これに限定されることなく、前面枠３の背面に取り付けられるガラス枠に前記ガラス板８と一緒に装着する一般的なパチンコ機に採用される構造とすることもできる。
【００１１】
遊技盤１１の図示しない遊技レールによって区画される遊技領域には、通常のパチンコ機と同様に、図柄表示装置１２、始動入賞口１３、大入賞装置１４等が配設される。また、前面枠３の背面側には、図示しない球タンク、始動入賞口１３や大入賞装置１４等に遊技球の入賞があったときに所定数の賞球を貯留皿９に払い出す賞球払出装置（図示せず）、その賞球払出装置を制御するための電子回路装置等が集約的に配置されている。
【００１２】
図２（イ）に示すように、合成樹脂製透明板５の裏面の適宜箇所には、第１導電性部材の導電片６の端面６ａと第２導電性部材の導電片７の端面７ａが常に電気的に接触するように碁盤の目のように交互に配設されている。それら第１導電性部材と第２導電性部材については、合成樹脂製透明板５に所定厚さの導電性樹脂シートを接着剤を用いて貼着し、各々の導電片６，７に導線（図示せず）を配設した構成とされている。
【００１３】
なお、それら第１導電性部材と第２導電性部材については、図１に示すように、前記遊技領域の隅部に配置するのが遊技時における視認性の点から好ましい。
【００１４】
第１導電性部材と第２導電性部材については、図２（ロ）に示すように、合成樹脂製透明板５に故意に外力が加えられたときには、合成樹脂製透明板５が凹面状に弾性変形を生じることにより、第１導電性部材の導電片６と第２導電性部材の導電片７との接触状態が解かれて電気的に非接触状態となるように設けられている。
【００１５】
このパチンコ機の電子制御部には、図３に示すように、ハード及びソフトウェアーの制御を司る基本回路が設けられた主制御基板２０を備えている。その主制御基板２０は、中央演算装置（ＣＰＵ）、その中央演算装置が実行する各種乱数発生手段・大当たり処理制御等の各種制御プログラム等を記憶させたメモリー（ＲＯＭ）、中央演算装置が制御プログラムを実行するときにメモリー（ＲＯＭ）から読み出される内容等を一時的に記憶させるためのメモリー（ＲＡＭ）等から構成されている。そして、主制御基板２０には、前記始動入賞口１３の入賞球検出スイッチ２２、大入賞装置１４に備えられる通常入賞口の入賞球検出スイッチ２３・継続入賞口の入賞球検出スイッチ２４・扉開閉用ソレノイド２５、普通入賞口の入賞球検出スイッチ２６，２７がインターフェース２１ａを介して夫々接続されている。
【００１６】
その主制御基板２０には、図柄変動表示装置１２を接続した図柄制御基板３０がインターフェース２１ｂを介して接続され、その図柄制御基板３０に対してランプ制御基板及び不正検出基板３５、音声制御基板４０がインターフェース３１を介して夫々接続されている。それら各基板には、中央演算装置（ＣＰＵ）やメモリー（ＲＯＭ，ＲＡＭ）を夫々備えており、図柄表示、音声、電飾等の遊技に伴う処理制御を定められた手順に基づいて行うように設けられている。
【００１７】
３６は第１導電性部材の導電片６と第２導電性部材の導電片７との接触状態を検知するための検知手段である。４１は上記導電片６と導電片７とが非接触状態のときに該検知手段３６の検出に基づき不正行為発生の事態を音声で報知する不正報知スピーカである。
【００１８】
なお、報知手段については、不正報知スピーカ４１の他に、図柄変動表示装置１２の液晶画面１２ａによる不正行為発生の旨の表示、前面装飾ランプ３７の点滅動作、外部情報端子からホールコンピュータ・回転灯へ出力させる等の方法が有り、これらを単独又は二つ以上を組み合わせて構成することができる。
以上により、本発明のパチンコ機における不正行為報知機構が構成される。
【００１９】
つぎに、かかる構成になる本発明のパチンコ機における不正行為報知機構の作動について説明する。
（１）合成樹脂製透明板５に外力が作用していない通常の状態［図２（イ）］
この場合には、第１導電性部材の導電片６の端面６ａと第２導電性部材の導電片７の端面７ａとが接触したままの状態で、検知手段３６の検出回路が開放されているため、不正報知スピーカ４１、前面装飾ランプ３７等による報知動作が行なわれない。
（２）合成樹脂製透明板５に故意に外力が作用した不正行為時の状態［図２（ロ）］
透明板５は外力によって凹面状に弾性変形を生じ、第１導電性部材の導電片６の端面６ａと第２導電性部材の導電片７の端面７ａとの接触状態が解かれて電気的に非接触状態となる。これにより、検知手段３６の検出回路が閉じてその信号がランプ制御基板及び不正検出基板３５、図柄制御基板３０に出力され、前面装飾ランプ３７の点滅、図柄変動表示装置１２の液晶画面１２ａによる不正行為発生の旨の表示、不正報知スピーカ４１による不正行為発生の旨が音声で報知される。
【００２０】
以上に述べた通り、このパチンコ機における不正行為報知機構は、合成樹脂製透明板の裏面に配設した第１導電性部材と第２導電性部材、それら導電性部材間における導通又は非導通状態を検出する検知手段及び報知手段によって不正行為発生の事態を報知するように構成されており、合成樹脂製透明板に対して故意に磁石を押し付けることによる不正行為を可及的に防止することができる利点がある。
【図面の簡単な説明】
【００２１】
【図１】本発明が適用されたパチンコ機の正面図
【図２】合成樹脂製透明板に外力が作用していない通常の状態（イ）と、合成樹脂製透明板に外力が作用した不正行為時の状態（ロ）とを模式的に示した説明図
【図３】パチンコ機の電子制御部を示すブロック図
【符号の説明】
【００２２】
Ｐ・・・パチンコ機
５・・・合成樹脂製透明板
６・・・第１導電性部材の導電片
７・・・第２導電性部材の導電片
８・・・ガラス板（遊技盤側の透明板）
１１・・・遊技盤
２０・・・主制御基板
３６・・・検知手段
３７・・・前面装飾ランプ（報知手段）
４１・・・不正報知スピーカ（報知手段）
【図１】
0004279266.tif 000002
【図２】
0004279266.tif 000003
【図３】
0004279266.tif 000004